(57)【要約】【課題】入力画像の解像度を拡大または縮小して表示する場合に、メモリ容量および処理負荷を抑制しつつ適切に画像を表示することが可能なプロジェクタ等を提供すること。【解決手段】プロジェクタ１００が、投写部１９０の解像度と、入力画像の解像度とに基づき、スケーリング手法を決定する決定部１２０と、当該スケーリング手法に基づき、入力画像に対して第１のスケーリングを行うとともに、当該スケーリング後の画像データをメモリ１４０に書き込むスケーリング部１３０−１と、画像データをメモリ１４０から読み出す読み出し部１５０と、読み出された画像データに対し、前記スケーリング手法に基づき、第２のスケーリングを行うスケーリング部１３０−２と、前記第２のスケーリング後の画像データに基づき、画像を投写する投写部１９０とを含んで構成される。【選択図】図１
2008116812.tif 000002
【特許請求の範囲】
【請求項１】
表示部の解像度と、入力画像の解像度とに基づき、スケーリング手法を決定する決定部と、
当該スケーリング手法に基づき、入力画像に対して第１のスケーリングを行うとともに、当該スケーリング後の画像データをメモリに書き込む第１のスケーリング部と、
当該第１のスケーリング部によって書き込まれた画像データを前記メモリから読み出す読み出し部と、
当該読み出し部によって読み出された画像データに対し、前記スケーリング手法に基づき、第２のスケーリングを行う第２のスケーリング部と、
前記第２のスケーリング後の画像データに基づき、画像を表示する前記表示部と、
を含み、
前記スケーリング手法が前記入力画像を拡大することを示す場合、
前記第１のスケーリング部は、前記入力画像の解像度のまま前記画像データを前記メモリに書き込み、
前記第２のスケーリング部は、前記読み出し部によって読み出された前記画像データに対し、解像度が拡大されるように、前記第２のスケーリングを行い、
前記スケーリング手法が前記入力画像を縮小することを示す場合、
前記第１のスケーリング部は、前記入力画像の画像データに対し、解像度が縮小されるように、前記第１のスケーリングを行い、
前記第２のスケーリング部は、前記読み出し部によって読み出された前記画像データを、解像度を変更せずに出力することを特徴とする表示装置。
【請求項２】
請求項１に記載の表示装置において、
ユーザーによる表示解像度の指定を入力する入力部を含み、
前記決定部は、当該表示解像度の指定に応じて前記スケーリング手法を決定することを特徴とする表示装置。
【請求項３】
請求項１、２のいずれかに記載の表示装置において、
前記決定部は、前記入力画像がインターレース方式の画像である場合、前記スケーリング手法として、プログレッシブ方式の画像に変換することを決定し、
前記スケーリング手法が前記プログレッシブ方式の画像に変換することを示す場合、
前記第１のスケーリング部は、前記入力画像の解像度のまま前記画像データを前記メモリに書き込み、
前記第２のスケーリング部は、前記読み出し部によって読み出された前記画像データに対し、前記プログレッシブ方式の画像になるように、前記第２のスケーリングとして、解像度を増加させるスケーリングを行うことを特徴とする表示装置。
【請求項４】
請求項１〜３のいずれかに記載の表示装置において、
前記第１および第２のスケーリング部は、
前記スケーリング手法に基づき、画像におけるサンプリング位置を決定するサンプリング部と、
前記サンプリング位置に隣接する複数の画素の画像信号値であって、かつ、前記入力画像または前記読み出し部によって読み出された前記画像データに基づく画像信号値と、前記サンプリング位置に対応した係数とに基づき、出力画像信号値を演算するとともに、当該出力画像信号値を前記画像データとして出力するフィルター処理部と、
を含むことを特徴とする表示装置。
【請求項５】
請求項１〜４のいずれかに記載の表示装置を有するプロジェクタ。
【請求項６】
表示装置による画像の表示方法において、
表示部の解像度と、入力画像の解像度とに基づき、スケーリング手法を決定し、
前記スケーリング手法が前記入力画像を拡大することを示す場合、
前記入力画像の解像度のまま前記画像データを前記メモリに書き込み、
前記メモリから前記画像データを読み出し、
読み出した前記画像データに対し、解像度が拡大されるように、スケーリングを行って前記画像データを出力し、
出力した画像データに基づき、画像を表示し、
前記スケーリング手法が前記入力画像を縮小することを示す場合、
前記入力画像の画像データに対し、解像度が縮小されるように、スケーリングを行い、
前記メモリから前記画像データを読み出し、
読み出した前記画像データを、解像度を変更せずに出力し、
出力した画像データに基づき、画像を表示することを特徴とする表示方法。
【発明の詳細な説明】
【技術分野】
【０００１】
本発明は、入力画像の解像度を拡大または縮小して表示する表示装置、プロジェクタおよび表示方法に関する。
【背景技術】
【０００２】
プロジェクタ等の表示装置は、連続的に画像情報を入力し、連続的に画像情報に基づく画像を表示している。このような表示装置は、入力と出力の画像の解像度や転送速度が異なるため、解像度を変更するためのスケーラーや、画像データを一時的に記憶するメモリが必要となる。
【０００３】
このようなメモリは、一定時間当たりに読み書きできるデータ量（メモリ帯域）が決まっている。このため、表示装置は、メモリ帯域以上の速度ではメモに正確に読み書きすることができず、正常な表示を行えない。
【０００４】
従来の第１の表示装置は、入力画像データをメモリに書き込み、スケーラーで解像度を調整し、表示していた。
【０００５】
このような構成は、入力画像の解像度が小さい場合には適用しやすいが、入力画像の解像度が大きい場合には、大容量のメモリが必要となる上、スケーラーで解像度を縮小して出力する際のメモリ帯域を大きく圧迫してしまう。
【０００６】
具体的には、例えば、第１の表示装置は、解像度を２分の１に縮小する場合、１画素分の表示を行うために２画素分の画像データをメモリから出力する必要があり、メモリ帯域を圧迫する。
【０００７】
また、従来の第２の表示装置は、入力画像データを、スケーラーで解像度を調整してからメモリに書き込み、メモリから画像データを読み出して表示していた。
【０００８】
このような構成は、入力画像の解像度が大きい場合には適用しやすいが、入力画像の解像度が表示デバイスの解像度と比べて小さい場合には、スケーラーで解像度を縮小してメモリに書き込む際のメモリ帯域を大きく圧迫してしまう。
【０００９】
具体的には、例えば、第２の表示装置は、解像度を２分の１に縮小する場合、入力画像の１画素分の画像データを２画素分の画像データに変換してメモリに書き込む必要があり、画像入力速度の２倍の速度でメモリへの書き込みを行う必要があり、メモリ帯域を圧迫する。
【００１０】
また、このような第１の表示装置と第２の表示装置を組み合わせてメモリの前後にスケーラーを配置することも考えられる。例えば、特開２００３−３０９７８３号公報では、スケーラーの性能の制限を回避することを目的として、スケーラー部の前に画素を削減する前処理スケーラー部を設けた表示装置が記載されている。
【特許文献１】特開２００３−３０９７８３号公報
【発明の開示】
【発明が解決しようとする課題】
【００１１】
しかし、特開２００３−３０９７８３号公報の手法のように二重にスケーリングを行う手法では処理負荷が大きくなってしまう。
【００１２】
本発明の目的は、入力画像の解像度を拡大または縮小して表示する場合に、メモリ容量および処理負荷を抑制しつつ適切に画像を表示することが可能な表示装置、プロジェクタおよび表示方法を提供することにある。
【課題を解決するための手段】
【００１３】
上記課題を解決するため、本発明に係る表示装置は、
表示部の解像度と、入力画像の解像度とに基づき、スケーリング手法を決定する決定部と、
当該スケーリング手法に基づき、入力画像に対して第１のスケーリングを行うとともに、当該スケーリング後の画像データをメモリに書き込む第１のスケーリング部と、
当該第１のスケーリング部によって書き込まれた画像データを前記メモリから読み出す読み出し部と、
当該読み出し部によって読み出された画像データに対し、前記スケーリング手法に基づき、第２のスケーリングを行う第２のスケーリング部と、
前記第２のスケーリング後の画像データに基づき、画像を表示する前記表示部と、
を含み、
前記スケーリング手法が前記入力画像を拡大することを示す場合、
前記第１のスケーリング部は、前記入力画像の解像度のまま前記画像データを前記メモリに書き込み、
前記第２のスケーリング部は、前記読み出し部によって読み出された前記画像データに対し、解像度が拡大されるように、前記第２のスケーリングを行い、
前記スケーリング手法が前記入力画像を縮小することを示す場合、
前記第１のスケーリング部は、前記入力画像の画像データに対し、解像度が縮小されるように、前記第１のスケーリングを行い、
前記第２のスケーリング部は、前記読み出し部によって読み出された前記画像データを、解像度を変更せずに出力することを特徴とする。
【００１４】
また、本発明に係るプロジェクタは、上記表示装置を有することを特徴とする。
【００１５】
また、本発明に係る表示方法は、
表示装置による画像の表示方法において、
表示部の解像度と、入力画像の解像度とに基づき、スケーリング手法を決定し、
前記スケーリング手法が前記入力画像を拡大することを示す場合、
前記入力画像の解像度のまま前記画像データを前記メモリに書き込み、
前記メモリから前記画像データを読み出し、
読み出した前記画像データに対し、解像度が拡大されるように、スケーリングを行って前記画像データを出力し、
出力した画像データに基づき、画像を表示し、
前記スケーリング手法が前記入力画像を縮小することを示す場合、
前記入力画像の画像データに対し、解像度が縮小されるように、スケーリングを行い、
前記メモリから前記画像データを読み出し、
読み出した前記画像データを、解像度を変更せずに出力し、
出力した画像データに基づき、画像を表示することを特徴とする。
【００１６】
本発明によれば、表示装置等は、入力画像を拡大する場合には画像データを等倍でメモリに書き込んでから読み出し後に拡大し、入力画像を縮小する場合には画像データを縮小してメモリに書き込んでから等倍で読み出すことにより、特開２００３−３０９７８３号公報の手法のような二重のスケーリングを行わないため、処理負荷を抑制しつつスケーリングを行うことができる。
【００１７】
また、本発明によれば、表示装置等は、メモリへの読み書き時のスケーリングを抑制することにより、メモリ帯域の使用量を抑制でき、メモリ容量も抑制することができる。
【００１８】
また、ユーザーによる表示解像度の指定を入力する入力部を含み、
前記決定部は、当該表示解像度の指定に応じて前記スケーリング手法を決定してもよい。
【００１９】
これによれば、表示装置等は、ユーザーによる表示解像度の指定が行われる場合であっても、メモリ容量および処理負荷を抑制しつつ適切に画像を表示することができる。
【００２０】
また、前記決定部は、前記入力画像がインターレース方式の画像である場合、前記スケーリング手法として、プログレッシブ方式の画像に変換することを決定し、
前記スケーリング手法が前記プログレッシブ方式の画像に変換することを示す場合、
前記第１のスケーリング部は、前記入力画像の解像度のまま前記画像データを前記メモリに書き込み、
前記第２のスケーリング部は、前記読み出し部によって読み出された前記画像データに対し、前記プログレッシブ方式の画像になるように、前記第２のスケーリングとして、解像度を増加させるスケーリングを行ってもよい。
【００２１】
これによれば、表示装置等は、表示方式をプログレッシブ方式に変更する場合であっても、メモリ容量および処理負荷を抑制しつつ適切に画像を表示することができる。
【００２２】
また、前記第１および第２のスケーリング部は、
前記スケーリング手法に基づき、画像におけるサンプリング位置を決定するサンプリング部と、
前記サンプリング位置に隣接する複数の画素の画像信号値であって、かつ、前記入力画像または前記読み出し部によって読み出された前記画像データに基づく画像信号値と、前記サンプリング位置に対応した係数とに基づき、出力画像信号値を演算するとともに、当該出力画像信号値を前記画像データとして出力するフィルター処理部と、
を含んでもよい。
【００２３】
これによれば、表示装置等は、より適切に画像を表示することができる。
【発明を実施するための最良の形態】
【００２４】
以下、本発明をプロジェクタに適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００２５】
図１は、本実施例のプロジェクタ１００の機能ブロック図である。
【００２６】
表示装置の一種であるプロジェクタ１００は、表示部の一種である投写部１９０と、ユーザーによる表示解像度の指定等を入力する入力部１１０と、入力画像を示す画像情報を入力する画像情報入力部１１２と、投写部１９０の表示領域の解像度と、入力画像の解像度とに基づき、スケーリング手法を決定する決定部１２０とを含んで構成されている。
【００２７】
また、プロジェクタ１００は、メモリ１４０と、スケーリング手法に基づき、入力画像に対して第１のスケーリングを行うとともに、当該スケーリング後の画像データをメモリ１４０に書き込むスケーリング部（第１のスケーリング部）１３０−１と、画像データをメモリ１４０から読み出す読み出し部１５０と、読み出し部１５０によって読み出された画像データに対し、スケーリング手法に基づき、第２のスケーリングを行うスケーリング部（第２のスケーリング部）１３０−２と、第２のスケーリング後の画像データに対して画像の合成、キーストーン歪み補正等を行う画像処理部１６０とを含んで構成されている。
【００２８】
図２は、本実施例のスケーリング部１３０の機能ブロック図である。
【００２９】
スケーリング部１３０は、より具体的には、画像におけるサンプリング位置を決定するサンプリング処理部１３２と、サンプリング位置に応じてフィルター処理を実行するフィルター処理部１３４とを含んで構成されている。
【００３０】
ここで、サンプリング処理とフィルター処理について説明する。
【００３１】
図３（Ａ）は、画像を縮小する場合の入力画素とサンプリング位置との関係を示す模式図であり、図３（Ｂ）は、画像を拡大する場合の入力画素とサンプリング位置との関係を示す模式図である。
【００３２】
例えば、画素番号が０〜５の入力画素（画像情報入力部１１２からの入力画像情報または読み出し部１５０によって読み出された画像データ）を用いる場合を例に採り説明する。例えば、入力画像を５分の３に縮小する場合、図３（Ａ）に示すように、使用する画素の位置を示すサンプリング位置は０、１．６６７、３．３３４、５になる。
【００３３】
また、例えば、入力画像を３倍に拡大する場合、図３（Ｂ）に示すように、サンプリング位置は０、０．３３３、０．６６６、１、１．３３３、１．６６６、２、２．３３３、２．６６６、３、３．３３３、３．６６６、４、４．３３３、４．６６６、５になる。
【００３４】
なお、このような縮小、拡大を示すスケーリング手法は、決定部１２０によって決定され、サンプリング処理部１３２は、スケーリング手法に基づいてサンプリング位置を決定する。
【００３５】
次に、フィルター処理について説明する。
【００３６】
フィルター処理部１３４は、サンプリング処理部１３２によって決定されたサンプリング位置の整数部から使用する画素を決定し、サンプリング位置の小数部から使用するフィルター係数を決定する。
【００３７】
図４は、本実施例のフィルター係数データの模式図である。また、図５は、本実施例のサンプリング位置に基づいて出力値を決定する処理を示す模式図である。
【００３８】
例えば、フィルター処理の適用範囲が対象画素位置に隣接する４画素であり、画素間の補間位置が８箇所であるものとする。
【００３９】
この場合、図４に示すように、４つの画素位置のそれぞれに対して８つの補間位置が設定され、画素位置および補間位置ごとにフィルター係数Ｃｏｅｆ（補間位置，画素位置）が設定される。なお、フィルター係数の具体的な数値は、例えば、実験等によって求められる。
【００４０】
例えば、フィルター処理部１３４は、入力画像を５分の３に縮小する際にサンプリング位置が１．６６７の画像データを出力する場合、整数部が１であり、小数部の数値（０．６６７）を８倍してその整数値（５）を補間位置として決定する。
【００４１】
この場合、フィルター処理部１３４は、図５に示すように、画素番号０の画像信号値（ＲＧＢ値、透明度を示すアルファー値等）とＣｏｅｆ（５，−１）を掛けた値、画素番号１の画像信号値とＣｏｅｆ（５，０）を掛けた値、画素番号２の画像信号値とＣｏｅｆ（５，＋１）を掛けた値、画素番号３の画像信号値とＣｏｅｆ（５，＋２）を掛けた値を合計した画像信号値を出力する。
【００４２】
以上の手順により、スケーリング部１３０は、スケーリング手法に基づき、画像におけるサンプリング位置を決定し、当該サンプリング位置に隣接する複数の画素の画像信号値と、当該サンプリング位置に対応した係数に基づき、出力画像信号値を演算するとともに、当該出力画像信号値を画像データとして出力することができる。
【００４３】
なお、プロジェクタ１００の各部は、例えば、以下のハードウェアを用いて実装してもよい。例えば、入力部１１０としてはボタン、リモートコントローラからの操作情報を受光する赤外受信ユニット等、画像情報入力部１１２としては入力端子等、決定部１２０としてはＣＰＵ等、スケーリング部１３０としてはスケーラー等、メモリ１４０としてはＲＡＭ等、読み出し部１５０、画像処理部１６０としては画像処理回路等、投写部１９０としては液晶パネル、液晶駆動回路、ランプ、投写レンズ等を採用してもよい。
【００４４】
次に、決定部１２０等を用いた処理の流れについて説明する。
【００４５】
図６は、本実施例の処理の流れを示すフローチャートである。
【００４６】
画像情報入力部１１２は、ＰＣ(Personal Computer)等から画像情報（例えば、ＲＧＢ値等）を入力する（ステップＳ１）。
【００４７】
決定部１２０は、投写部１９０の表示領域（例えば、液晶パネルの表示領域等）の解像度と、画像情報入力部１１２によって入力された画像情報で示される入力画像の解像度に基づき、スケーリング手法を決定する（ステップＳ２）。
【００４８】
例えば、投写部１９０の表示領域の水平方向画素数が１１５２で入力画像の水平方向画素数が１９２０である場合、決定部１２０は、入力画像の水平方向を５分の３倍に縮小することを示すスケーリング手法を決定する。また、例えば、投写部１９０の表示領域の水平方向画素数が１９２０で入力画像の水平方向画素数が６４０である場合、決定部１２０は、入力画像の水平方向を３倍に拡大することを示すスケーリング手法を決定する。
【００４９】
なお、決定部１２０は、垂直方向についても水平方向と同様にスケーリング手法を決定する。
【００５０】
スケーリング部１３０−１は、スケーリング手法が入力画像を拡大することを示す場合（ステップＳ３）、入力画像情報をそのまま画像データとしてメモリ１４０に書き込む（ステップＳ４）。
【００５１】
そして、読み出し部１５０は、メモリ１４０から当該画像データを読み出し（ステップＳ５）、スケーリング部１３０−２は、スケーリング手法が入力画像を拡大することを示す場合、上述したサンプリング処理とフィルター処理を実行することにより、読み出された画像データの解像度を拡大する（ステップＳ６）。
【００５２】
画像処理部１６０は、スケーリング部１３０−２からの画像データに対して歪み補正処理等を行って画像を生成し（ステップＳ１１）、投写部１９０は、画像を投写する（ステップＳ１２）。
【００５３】
一方、スケーリング手法が入力画像を縮小することを示す場合（ステップＳ７）、スケーリング部１３０−１は、入力画像の画像データに対して上述したサンプリング処理とフィルター処理を実行することにより、入力画像の解像度を縮小してメモリ１４０に書き込む（ステップＳ８）。
【００５４】
そして、読み出し部１５０は、メモリ１４０から当該画像データを読み出し（ステップＳ９）、スケーリング部１３０−２は、当該画像データをそのまま画像処理部１６０に転送し、画像処理部１６０は、スケーリング部１３０−２からの画像データに対して歪み補正処理等を行って画像を生成し（ステップＳ１１）、投写部１９０は、画像を投写する（ステップＳ１２）。
【００５５】
なお、スケーリング手法が拡大も縮小もしないことを示す場合、スケーリング部１３０−１は入力画像の解像度のまま画像データをメモリ１４０に書き込み（ステップＳ１０）、読み出し部１５０は、メモリ１４０から当該画像データを読み出し（ステップＳ９）、スケーリング部１３０−２は、当該画像データをそのまま画像処理部１６０に転送し、画像処理部１６０は、スケーリング部１３０−２からの画像データに対して歪み補正処理等を行って画像を生成し（ステップＳ１１）、投写部１９０は、画像を投写する（ステップＳ１２）。
【００５６】
以上のように、本実施例によれば、プロジェクタ１００は、入力画像を拡大する場合には画像データを等倍でメモリ１４０に書き込んでから読み出し後に拡大し、入力画像を縮小する場合には画像データを縮小してメモリ１４０に書き込んでから等倍で読み出すことにより、特開２００３−３０９７８３号公報の手法のような二重のスケーリングを行わないため、処理負荷を抑制しつつスケーリングを行うことができる。
【００５７】
また、本実施例によれば、プロジェクタ１００は、メモリ１４０への読み書き時のスケーリングを抑制することにより、メモリ帯域の使用量を抑制でき、メモリ容量も抑制することができる。
【００５８】
また、本実施例によれば、プロジェクタ１００は、スケーリングを行う際に、サンプリング処理とフィルター処理を実行することにより、ぼかしやエッジ強調等がより効果的になり、単純に画素の間引き、補填を行う場合と比べ、より適切に画像を表示することができる。
【００５９】
なお、本発明の適用は上述した実施例に限定されず、種々の変形が可能である。
【００６０】
例えば、投写部１９０の表示領域のアスペクト比は４：３であっても、１６：９であってもよい。
【００６１】
図７（Ａ）は、表示領域３００のアスペクト比が４：３の場合の処理の概要を示す模式図であり、図７（Ｂ）は、表示領域３０２のアスペクト比が１６：９の場合の処理の概要を示す模式図である。
【００６２】
例えば、図７（Ａ）に示すように、表示領域３００のアスペクト比が４：３の場合に、アスペクト比が１６：９の入力画像を垂直方向に拡大する場合（ケースＣ１）、アスペクト比が４：３の入力画像を垂直方向に縮小する場合（ケースＣ２）にも本発明は有効である。
【００６３】
また、例えば、図７（Ｂ）に示すように、表示領域３００のアスペクト比が１６：９の場合に、アスペクト比が４：３の入力画像を水平方向に拡大する場合（ケースＣ３）、アスペクト比が１６：９の入力画像を水平方向に縮小する場合（ケースＣ４）にも本発明は有効である。
【００６４】
また、インターレース方式の入力画像をプログレッシブ方式で表示する場合は、ケースＣ１に該当し、このような場合も本発明は有効である。
【００６５】
さらに、決定部１２０は、入力部１１０からのユーザーによる表示解像度の指定に応じてスケーリング手法を決定してもよい。
【００６６】
これによれば、プロジェクタ１００は、ユーザーによる表示解像度の指定が行われる場合であっても、メモリ容量および処理負荷を抑制しつつ適切に画像を表示することができる。
【００６７】
また、プロジェクタ１００は、液晶プロジェクタには限定されず、例えば、米国テキサス・インスツルメンツ社が開発したＤＭＤ(Digital Micromirror Device)を用いたプロジェクタ、ＣＲＴプロジェクタ、有機ＥＬを用いたプロジェクタ等であってもよい。
【００６８】
また、プロジェクタ１００に代えて液晶ディスプレイ、ＴＶ(Tele Vision)等の表示装置を用いる場合にも本発明は有効である。
【００６９】
また、上述したプロジェクタ１００の機能を複数の装置（例えば、ＰＣとプロジェクタ、ＤＶＤプレーヤーとＴＶ等）に分散してもよい。
【図面の簡単な説明】
【００７０】
【図１】本実施例のプロジェクタの機能ブロック図である。
【図２】本実施例のスケーリング部の機能ブロック図である。
【図３】図３（Ａ）は、画像を縮小する場合の入力画素とサンプリング位置との関係を示す模式図であり、図３（Ｂ）は、画像を拡大する場合の入力画素とサンプリング位置との関係を示す模式図である。
【図４】本実施例のフィルター係数データの模式図である。
【図５】本実施例のサンプリング位置に基づいて出力値を決定する処理を示す模式図である。
【図６】本実施例の処理の流れを示すフローチャートである。
【図７】図７（Ａ）は、表示領域のアスペクト比が４：３の場合の処理の概要を示す模式図であり、図７（Ｂ）は、表示領域のアスペクト比が１６：９の場合の処理の概要を示す模式図である。
【符号の説明】
【００７１】
１００  プロジェクタ（表示装置）、１１０  入力部、１１２  画像情報入力部、１２０  決定部、１３０−１  スケーリング部（第１のスケーリング部）、１３０−２  スケーリング部（第２のスケーリング部）、１４０  メモリ、１５０  読み出し部、１６０  画像処理部、１９０  投写部（表示部）、３００、３０２  表示領域
【図１】
2008116812.tif 000003
【図２】
2008116812.tif 000004
【図３】
2008116812.tif 000005
【図４】
2008116812.tif 000006
【図５】
2008116812.tif 000007
【図６】
2008116812.tif 000008
【図７】
2008116812.tif 000009